(57)【特許請求の範囲】
【請求項１】
開口部の周辺にバネ式蝶番を用いて取り付けられ、閉じ方向に付勢されながら開閉可能となる両開扉と、前記両開扉に底面部を押し込むことにより前記両開扉を開閉させる押し込み具と、を備える両開扉の開閉構造であって、
前記底面部は、前記両開扉の閉じ状態の対向部分に向かって突出して設けられたことを特徴とする両開扉の開閉構造。
【請求項２】
前記底面部の突出部分の先端は、前記対向部分から前記両開扉のいずれか一方の扉に取り付けられている蝶番に向けて偏心して設けられたことを特徴とする請求項１に記載の両開扉の開閉構造。
【発明の詳細な説明】
【０００１】
【発明の属する技術分野】
本発明は、開口部にバネ式蝶番を介して取り付けられた両開扉を、押し込み具により開閉させる両開扉の開閉構造に関する。
【０００２】
【従来の技術】
従来、液槽式冷熱衝撃試験装置等において、高温槽液の蒸発抑制および冷温槽への水分進入の抑制のため、高温槽および低温槽の上部開口部にバネ式蝶番を介して両開扉が取り付けられている。一方、押し込み具は、高低温槽に投入される試料が設置可能な状態で籠型や枠型等に形成されている。そして、押し込み具の底辺を両開扉に押し込むことにより、両開扉が左右下向きに約９０度回転し開口する。このとき、両開扉を取り付けているバネ式蝶番は、バネの力により閉じ方向に付勢している。また、押し込み具を引き上げらると、バネ式蝶番のバネの力により両開扉が閉口するような構造になっている。
【０００３】
【発明が解決しようとする課題】
しかし、従来の押し込み具は、その底面部が平らであったことから、押し込み具が両開扉を押し込む際の負荷が大きいという問題があった。したがって、押し込み具が両開扉を押し込む力が多大であった場合、バネ式蝶番を繰り返し使用することによりバネが破損してしまうこともあった。また、押し込み具を繰り返し上下させる際に、押し込み具の押し込み位置が前後左右に変化していた。したがって、両扉間にある程度の間隔を取っておかないと両扉がうまく閉じないことがあり、両開扉の密閉度が不十分になることがあった。
【０００４】
本発明は上記の点に鑑みてなされたものであり、バネ式蝶番を介して取り付けられた両開扉を押し込み具により開閉させる際にかかる負荷を軽減することができ、また、左右の両開扉の密閉度を向上することができる両開扉の開閉構造を提供することを目的とするものである。
【０００５】
【課題を解決するための手段】
前記課題を解決するために本発明の請求項１に記載の両開扉の開閉構造は、開口部の周辺にバネ式蝶番を用いて取り付けられ、閉じ方向に付勢されながら開閉可能となる両開扉と、前記両開扉に底面部を押し込むことにより前記両開扉を開閉させる押し込み具と、を備える両開扉の開閉構造であって、前記底面部は、前記両開扉の閉じ状態の対向部分に向かって突出して設けられたことを特徴としている。
【０００６】
この請求項１の構成によると、押し込み具を両開扉に押し込む際に、最初に押し込み具と両開扉とが接触する位置がバネ式蝶番から遠ざかる。従って、両開扉を押すトルクが増大し、両開扉にかかる負荷が小さくなる。また、押し込み具が両開扉を押し込む際のバネ式蝶番の回転部にかかる集中荷重が小さくなり、バネ式蝶番のバネにかかる負荷を小さくすることができる。
【０００７】
請求項２に記載の両開扉の開閉構造は、請求項１に記載の両開扉の開閉構造であって、前記底面部の突出部分の先端は、前記対向部分から前記両開扉のいずれか一方の扉に取り付けられている蝶番に向けて偏心して設けられたことを特徴としている。
【０００８】
この請求項２の構成によると、押し込み具の底面部の突出部分の先端が、対向部分から両開扉のいずれか一方の扉に取り付けられている蝶番に向けて偏心して設けられていることから、押し込み具が両開扉に押し込まれる際に、左右の扉が開き始める時間にずれが生じる。従って、両開扉間に隙間を取る必要がなく、両開扉の密閉度が向上する。
【０００９】
【発明の実施の形態】
以下、図面を参照しつつ本発明に係る両開扉の開閉構造の一実施例について説明する。図１および図２は、本発明に係る両開扉の開閉構造の一例を示したものである。図１は、両開扉の開閉構造が用いられる液槽式冷熱衝撃試験装置の概略図である。図２は、バネ式蝶番を介して開口部に取り付けられた両開扉の開閉構造の縦断面図である。
【００１０】
図１に示すように、液槽式冷熱衝撃試験装置９は、高温槽２と、低温槽３と、昇降機構４と、移動機構５と、試料カゴ６と、各槽２、３の両開扉構造１と、を備えている。また、両開扉構造１は、試料カゴ兼用の押し込み具６と、両開扉７と、バネ式蝶番８と、から構成されている。
【００１１】
高温槽２と低温槽３は、液槽式冷熱衝撃試験装置９の下部に備えられている。また、高温槽２は、試料カゴ６を投入することができるように、開口部２ａを有している。同様に、低温槽３も、試料カゴ６を投入することができるように、開口部３ａを有している。
【００１２】
高温槽２には、加熱手段として図示されないヒータが装着されている。低温槽３には、冷却手段として図示されないクーラが装着されている。また、高温槽２と低温槽３は、浴槽式の槽として構成されている。高温槽２および低温槽３には、それぞれ高温用および低温用の浴液が入れられている。
【００１３】
昇降機構４および移動機構５は、試料カゴ６の移動手段として、液槽式冷熱衝撃試験装置９の上部に配設されている。昇降機構４は、エアシリングや伝導ボールネジ等の直線駆動機構で構成されている。移動機構５は、ラックとピニオン等の平面移動機構で構成されている。なお、移動機構５は、平面移動機構に変えて、電動歯車機構等で構成される回転機構であってもよい。
【００１４】
昇降機構４には、押し込み具６が取り付けられており、昇降機構４は試料カゴ６を上下方向に移動することができる。また、移動機構５には、昇降機構４が取り付けられており、移動機構５は昇降機構４を前後左右方向に移動することができる。昇降機構４および移動機構５を図示されない制御手段で操作することにより、試料カゴ６を移動して高温槽２または低温槽３に投入する。
【００１５】
液槽冷熱衝撃装置９に用いられる両開扉の開閉機構１は、図１および図２に示すように、押し込み具６と、両開扉７と、バネ式蝶番８とからなっている。
【００１６】
押し込み具６は、図１に示すように、被試験物である試料６ａを入れられる籠や枠などからなっている。押し込み具６は、上面部６ｂと、側面部６ｃと、底面部６ｄから構成されている。
【００１７】
上面部６ｂは、昇降機構４に把持されている。
【００１８】
側面部６ｃは、試料６ａを設置できるように一方の側面が開放されて構成されている。また、側面部６ｃの両側面は、高温槽２または低温槽３に投入することができるように、高温槽２または低温槽３の開口部２ａまたは３ａよりも小さく形成されている。
【００１９】
底面部６ｄは、図２に示すように、両開扉７の閉じ状態の対向部分７ｃに向かって突出して設けられている。また、底面部６ｄは、側面部６ｃから突出部分の先端６ｅに向かって略三角突起状に形成されている。なお、側面部６ｃから底面部６ｄの突出部分の先端６ｅまでの距離Ｈは、特に制限はないが、５〜１５ｍｍの範囲、特に約１０ｍｍであることが望ましい。
【００２０】
底面部６ｄの突出部分の先端６ｅは、両開扉７の閉じ状態の対向部分７ｃからバネ式蝶番８に向けて偏心して設けられている。なお、底面部６ｄの突出部分の先端６ｅの偏心は、左右扉７ａおよび７ｂのうち、いずれの扉に取り付けられているバネ式蝶番８に向かうものであってもよい。また、底面部６ｄの突出部分の先端６ｅの偏心は、バネ式蝶番８よりではなく、両開扉７の閉じ方向の対向部分７ｃよりに設ける。したがって、両開扉７の閉じ状態の対向部分７ｃから底面部６ｄの突出部分の先端６ｅまでの距離Ｗは、３〜８ｍｍの範囲、特に約５ｍｍであることが望ましい。
【００２１】
両開扉７は、図２に示すように、左扉７ａと右扉７ｂとから構成されている。両開扉７は、バネ式蝶番８を介して高温槽２および低温槽３のそれぞれの開口部２ａおよび３ａの両側に取り付けられている。対向部分７ｃでは、対向部分７ｃ側の端部を折り返された左右扉７ａと７ｂが対向して、対向部分７ｃに１ｍｍ前後の隙間しかできないように構成されている。両開扉７は、左右扉７ａおよび７ｂとも同じ大きさをしており、開口部２ａおよび３ａを塞いでいる。また、左右それぞれの両開扉７ａおよび７ｂは、バネ式蝶番８を中心に回動自在に構成されている。したがって、バネ式蝶番８により左右扉７ａおよび７ｂを開閉することができる。
【００２２】
バネ式蝶番８は、図２に示すように、高温槽２および低温槽３のそれぞれの開口部２ａおよび３ａの周辺であって、左右扉７ａおよび７ｂの両側に取り付けられている。バネ式蝶番８は、バネの力により、常に両開扉７の閉じ方向に付勢している。したがって、左右扉７ａおよび７ｂを閉じる際には、バネ式蝶番は閉じ方向を維持することとなり、左右扉７ａおよび７ｂを開く際には、左右扉７ａおよび７ｂが閉じ方向の付勢力に打ち勝って押されることとなる。
【００２３】
また、両開扉の開閉構造の好ましい他の実施形態例を図３に基づいて説明する。図３は、本発明に係る両開扉の開閉構造の他の一例を示したものであり、バネ式蝶番を介して開口部に取り付けられた両開扉の開閉構造の縦断面図である。
【００２４】
図３に示すように、両開扉の開閉機構１１は、押し込み具１６と、両開扉１７と、バネ式蝶番１８とからなっている。押し込み具１６の底面部以外の構造は、上述の実施形態例の押し込み具６の底面部以外の構造と同様であるため、説明を省略する。
【００２５】
底面部１６ｄの突出部分の先端１６ｅは、両開扉１７の閉じ状態の対向部分１７ｃからバネ式蝶番１８に向けて偏心して設けられている。底面部１６ｄの突出部分の先端１６ｅの偏心は、左右扉１７ａおよび１７ｂのうち、扉同士の重複部分１７ｄが下側である扉（図示では左扉１７ａ）に取り付けられている。また、底面部１６ｄの突出部分の先端１６ｅの偏心は、バネ式蝶番１８よりではなく、両開扉１７の閉じ方向の対向部分１７ｃよりに設ける。したがって、両開扉１７の閉じ状態の対向部分１７ｃから底面部１６ｄの突出部分の先端１６ｅまでの距離Ｗは、３〜８ｍｍの範囲、特に約５ｍｍであることが望ましい。
【００２６】
両開扉１７は、左扉１７ａと右扉１７ｂとから構成されている。両開扉１７は、バネ式蝶番１８を介して高温槽１２および低温槽１３のそれぞれの開口部１２ａおよび１３ａの両側に取り付けられている。対向部分１７ｃでは、左右扉１７ａと１７ｂが一部重複して、対向部分１７ｃに隙間ができないように構成されている。両開扉１７は、左右扉１７ａおよび１７ｂのうち扉同士の重複部分１７ｄが下側である扉（図示では左扉１７ａ）が重複部分１７ｄの面積だけ大きめに構成されており、開口部１２ａおよび１３ａを塞いでいる。また、左右それぞれの両開扉１７ａおよび１７ｂは、バネ式蝶番１８を中心に回動自在に構成されている。したがって、バネ式蝶番１８により左右扉１７ａおよび１７ｂを開閉することができる。
【００２７】
バネ式蝶番１８は、高温槽１２および低温槽１３のそれぞれの開口部１２ａおよび１３ａの周辺であって、左右扉１７ａおよび１７ｂの両側に取り付けられている。バネ式蝶番１８は、バネの力により、常に両開扉１７の閉じ方向に付勢している。したがって、左右扉１７ａおよび１７ｂを閉じる際には、バネ式蝶番は閉じ方向を維持することとなり、左右扉１７ａおよび１７ｂを開く際には、左右扉１７ａおよび１７ｂが閉じ方向の付勢力に打ち勝って押されることとなる。
【００２８】
次に、両開扉の開閉構造１の動作について、図１および図２に基づいて説明する。
【００２９】
図１の高温槽２の場合や図２に示すように、押し込み具６を投入する前は、バネ式蝶番８がバネの力により、閉じ方向に付勢しており、両開扉７は閉じ状態を維持している。すなわち、左右扉７ａおよび７ｂは、高温槽２または低温槽３の開口部２ａまたは３ａを閉塞している。
【００３０】
次に、押し込み具６を高温槽２または低温槽３に投入する際は、まず、押し込み具６の底面部６ｄの突出部分の先端６ｅが、左右扉７ａおよび７ｂのうち、偏心している側の扉（図示では左扉７ａ）に接触して、偏心している側の扉（図示では左扉７ａ）がバネ式蝶番８を中心として回転して開き始める。さらに、押し込み具６の投入を続けると、押し込み具６の底面部６ｄが、偏心している側ではない扉（図示では右扉７ｂ）に接触して、偏心している側ではない扉（図示では右扉７ｂ）がバネ式蝶番８を中心として回転して開き始める。このとき、バネ蝶番８は、バネの力により、両開扉７の閉じ方向に付勢している。そのため、両開扉７は、押し込み具６の底面部６ｄあるいは側面部６ｃに対して付勢し続ける。
【００３１】
図１の低温槽の場合や図２に示すように、押し込み具６を高温槽２または低温槽３に投入し終わると、押し込み具６は、槽液に浸かり、試験が行われる。この際、両開扉７は開いた状態となる。このとき、バネ蝶番８は、バネの力により、両開扉７の閉じ方向に付勢している。そのため、両開扉７は、押し込み具６の側面部６ｃに対して付勢し続ける。
【００３２】
試験終了後、押し込み具６が引き上げられる際、バネ蝶番８は、バネの力により、両開扉７の閉じ方向に付勢しているため、左右扉７ａおよび７ｂがバネ式蝶番８を中心として回転して閉じ始める。そして、押し込み具の引き上げを続けると、偏心している側ではない扉（図示では右扉７ｂ）が完全に閉じ状態に戻り、押し込み具６の底辺部６ｄが偏心している側ではない扉（図示では右扉７ｂ）から離れる。このとき、偏心している側の扉（図示では左扉７ａ）と、押し込み具６の底面部６ｄの突出部分の先端６ｅは、接触したままの状態である。
【００３３】
さらに、押し込み具の引き上げを続けると、偏心している側の扉（図示では左扉７ａ）が完全に閉じ状態に戻り、押し込み具６の底辺部６ｄが偏心している側の扉（図示では左扉７ａ）から離れる。そして、押し込み具６が完全に引き上げられ、左右扉７ａおよび７ｂは、閉じ状態に戻り、高温槽２または低温槽３の開口部２ａまたは３ａを閉塞する。
【００３４】
なお、両開扉の開閉構造の他の実施形態例である両開扉の開閉構造１１の動作は、上述の実施形態例における両開扉の開閉構造１の動作と同様であるため、相違点以外の説明を省略する。両開扉１７ａ、１７ｂが閉じるときに、突出部分の先端６ｅが当たらない扉１７ｂは先に閉じ、突出部分の先端６ｅが当たる扉１７ａは後から閉じる。そのため、両開扉１７ａ、１７ｂの先端同士がはち合わせすることがない。
【００３５】
このように、本実施例に係る両開扉の開閉構造１または他の実施例にかかる両開扉の開閉構造１１によれば、押し込み具６，１６を両開扉７，１７に押し込む際に、最初に押し込み具６，１６と両開扉７，１７とが接触する位置がバネ式蝶番８，１８から遠ざかる。従って、両開扉７，１７を押すトルクが増大し、両開扉７，１７にかかる負荷が小さくなる。また、押し込み具６，１６が両開扉７，１７を押し込む際のバネ式蝶番８，１８の回転部にかかる集中荷重が小さくなり、バネ式蝶番８，１８のバネにかかる負荷を小さくすることができる。
【００３６】
また、押し込み具６，１６の底面部６ｄ，１６ｄの突出部分の先端６ｅ，１６ｅが、対向部分７ｃ，１７ｃから蝶番８，１８に向けて偏心して設けられていることから、押し込み具６，１６が両開扉７，１７に押し込まれる際に、左右の扉が開き始める時間にずれが生じる。従って、両開扉間に隙間を小さくしたり、あるいは無くしたりしても、両開扉の密閉度が向上する。また、押し込み具の若干の位置ずれも問題とならない。
【００３７】
さらに、両開扉の開閉構造１では両開扉７の対向部分７ｃに、両開扉の開閉構造１１では両開扉１７の重複部分１７ｄに、シール板等の取り付けが可能となり、密着度が向上する。
【００３８】
なお、本発明にかかる両開扉の開閉構造の実施例は、前記実施例に限定されるものではなく、特許請求の範囲に記載した限りにおいてさまざまな設計変更が可能である。
【００３９】
例えば、前記実施例は、押し込み具の底面部は略三角突起状に構成されているが、略三角突起状に限定されるものではない。例えば、図４に示すように、押し込み具１０６の底面部１０６ｄが、略円弧状に構成されるものであってもよい。ただし、前記実施例と同様に、底面部１０６ｄの突出部分の先端１０６ｅは、両開扉の閉じ状態の対向部分からバネ式蝶番に向けて偏心して設けられていることが好ましい。また、略錐状等に構成されるものであってもよい。
【００４０】
【発明の効果】
本発明の両開扉の開閉構造によると、押し込み具を両開扉に押し込む際に、最初に押し込み具と両開扉とが接触する位置がバネ式蝶番から遠ざかる。従って、両開扉を押すトルクが増大し、両開扉にかかる負荷が小さくなる。また、押し込み具が両開扉を押し込む際のバネ式蝶番の回転部にかかる集中荷重が小さくなり、バネ式蝶番のバネにかかる負荷を小さくすることができる。さらに、押し込み具の底面部の突出部分の先端が、対向部分から蝶番に向けて偏心して設けられているものにすると、押し込み具が両開扉に押し込まれる際に、左右の扉が開き始める時間にずれが生じる。従って、両開扉間に隙間を取る必要がなく、両開扉の密閉度が向上する。
【図面の簡単な説明】
【図１】本発明に係る両開扉の開閉構造の一例を示したものであり、両開扉の開閉構造が用いられる液槽式冷熱衝撃試験装置の概略図である。
【図２】本発明に係る両開扉の開閉構造の一例を示したものであり、バネ式蝶番を介して開口部に取り付けられた両開扉の開閉構造の縦断面図である。
【図３】本発明に係る両開扉の開閉構造の他の一例を示したものであり、バネ式蝶番を介して開口部に取り付けられた両開扉の開閉構造の縦断面図である。
【図４】本発明に係る押し込み具の他の一例を示したものであり、押し込み具の縦断面図である。
【符号の説明】
１  両開扉の開閉構造
２ａ  開口部（高温槽）
３ａ  開口部（低温槽）
６  押し込み具
６ｄ  底辺部
６ｅ  突出部分の先端
７  両開扉
７ｃ  対向部分
８  バネ式蝶番
【図１】
0003605393.tif 000002
【図２】
0003605393.tif 000003
【図３】
0003605393.tif 000004
【図４】
0003605393.tif 000005